(57)【要約】【課題】複数の入力ビデオ・ストリームから結合ビデオ・ストリームを生成するための、方法、システム、および製品を提供する。【解決手段】第１の再生速度で再生されるように生成された第１の製品コマーシャルを含む第１のビデオ・ストリームと、第２の再生速度で再生されるように生成された第２の製品コマーシャルを含む第２のビデオ・ストリームとが、処理される。第２の再生速度は、第１の再生速度よりも速い。第１のビデオ・ストリームを表示するための各フレーム内の第１のパネルと、第２のビデオ・ストリームを表示するための各フレーム内の第２のパネルとを含む、結合ビデオ・ストリームが生成される。結合ビデオ・ストリームが第１の再生速度で再生される場合、第２のビデオ・ストリームは、そのために生成された第２の再生速度よりも遅い速度で出現するようにレンダリングされる。結合ビデオ・ストリームが第２の再生速度で再生される場合、第１のビデオ・ストリームは、そのために生成された第１の再生速度よりも速い速度で出現するようにレンダリングされる。【選択図】  図１
2011524667.tif 000002
【特許請求の範囲】
【請求項１】
第１の再生速度で再生されるように生成された第１の製品コマーシャルを含む第１のビデオ・ストリームを処理するステップと、
第２の再生速度で再生されるように生成された第２の製品コマーシャルを含む第２のビデオ・ストリームを処理するステップであって、前記第２の再生速度は前記第１の再生速度よりも速い、処理するステップと、
前記第１のビデオ・ストリームを表示するための各フレーム内の第１のパネルと、前記第２のビデオ・ストリームを表示するための各フレーム内の第２のパネルとを含む、結合ビデオ・ストリームを生成するステップであって、前記結合ビデオ・ストリームが前記第１の再生速度で再生される場合、前記第２のビデオ・ストリームは、そのために生成された前記第２の再生速度よりも遅い速度で出現するようにレンダリングされ、前記結合ビデオ・ストリームが前記第２の再生速度で再生される場合、前記第１のビデオ・ストリームは、そのために生成された前記第１の再生速度よりも速い速度で出現するようにレンダリングされる、生成するステップと、
を含む、方法。
【請求項２】
前記第１および第２のビデオ・ストリームが第１および第２のフレーム・レートをそれぞれ有し、前記第１のフレーム・レートが前記第２のフレーム・レートよりも大きい、請求項１に記載の方法。
【請求項３】
前記結合ビデオ・ストリームを生成するステップが、
前記結合ビデオ・ストリーム内のフレームに対する前記第１のビデオ・ストリーム内のフレームの第１の割合で、前記結合ビデオ・ストリーム内の前記第１のパネルの少なくとも１つのフレーム内へと、前記第１のビデオ・ストリームの各フレームを生成するステップと、
前記結合ビデオ・ストリーム内のフレームに対する前記第２のビデオ・ストリーム内のフレームの第２の割合で、前記結合ビデオ・ストリーム内の前記第２のパネルの少なくとも１つのフレーム内へと、前記第２のビデオ・ストリームの各フレームを生成するステップとを含み、前記第２の割合は前記第１の割合よりも大きいため、結果として、前記第１のビデオ・ストリーム内のフレームが、前記結合ビデオ・ストリーム内の前記第１のパネルの前記フレーム内へと生成されるよりも、前記第２のビデオ・ストリーム内のフレームは、前記結合ビデオ・ストリーム内の前記第２のパネル内のより多くのフレーム内へと生成されることになる、
請求項２に記載の方法。
【請求項４】
前記第１および第２のビデオ・ストリームは、それぞれ前記第１および前記第２のフレーム・レートで別々にフィルム記録される、請求項２に記載の方法。
【請求項５】
前記第１および第２のビデオ・ストリームは同じフレーム・レートで別々にフィルム記録され、前記第２のビデオ・ストリームは前記第１のビデオ・ストリームに含まれるイベントを含み、前記第２のビデオ・ストリーム内の前記同じイベントは、前記第１のビデオ・ストリーム内の前記同じイベントよりも多くのフレーム上で出現する、請求項１に記載の方法。
【請求項６】
フィルム記録フレーム・レートでフィルム記録された製品コマーシャル・コンテンツを含む入力ビデオ・ストリームを受信するステップと、
前記第１の再生速度で再生されるように生成された前記入力ビデオ・ストリームを含む前記第１のビデオ・ストリームを生成するように前記入力ビデオ・ストリームを処理するステップであって、前記第１の製品コマーシャルは、前記第１の再生速度での前記製品コマーシャル・コンテンツを備える、処理するステップと、
前記第２の再生速度で再生されるように生成された前記第２のビデオ・ストリームを生成するように前記入力ビデオ・ストリームを処理するステップであって、前記第２の製品コマーシャルは、前記第２の再生速度での前記製品コマーシャル・コンテンツを備える、処理するステップと、
をさらに含む、請求項１に記載の方法。
【請求項７】
前記第１の再生速度は前記フィルム記録フレーム・レートであり、前記第２の再生速度は前記フィルム記録フレーム・レートよりも小さいフレーム・レートである、請求項６に記載の方法。
【請求項８】
前記第１の再生速度は通常速度であり、前記第２の再生速度はビデオ再生デバイスにとっての早送り速度である、請求項１に記載の方法。
【請求項９】
前記処理および生成動作は、前記結合ビデオ・ストリームの前記第１および第２のパネルにおいて前記製品コマーシャルを生成するためのポスト・プロダクション・ソフトウェアによって実行される、請求項１に記載の方法。
【請求項１０】
前記結合ビデオ・ストリームの各フレームにおける前記第１および第２のパネルのサイズを示すユーザ入力を受信するステップであって、前記第１および第２のパネルは、それらの示されたサイズに対応する前記結合ビデオ・ストリーム内のサイズを有する、受信するステップをさらに含む、請求項１に記載の方法。
【請求項１１】
前記第１および第２のパネルの前記示されたサイズは、前記第１および第２のパネルを見るものと推定された視聴者の割合に基づき、より多い推定視聴者を有する前記第１または第２のパネルは、より少ない推定視聴者を有する前記第１または第２のパネルよりも前記フレーム内で大きなサイズに設定される、請求項１０に記載の方法。
【請求項１２】
前記結合ビデオ・ストリームがコマーシャル・セグメントとして放送に挿入される、請求項１に記載の方法。
【請求項１３】
プロセッサと、
動作を実行するために前記プロセッサによって実行されるビデオ・エディタを含む、コンピュータ読み取り可能メディアと、を備えるシステムであって、前記動作が、
第１の再生速度で再生されるように生成された第１の製品コマーシャルを含む第１のビデオ・ストリームを処理すること、
第２の再生速度で再生されるように生成された第２の製品コマーシャルを含む第２のビデオ・ストリームを処理することであって、前記第２の再生速度は前記第１の再生速度よりも速い、処理すること、および
前記第１のビデオ・ストリームを表示するための各フレーム内の第１のパネルと、前記第２のビデオ・ストリームを表示するための各フレーム内の第２のパネルとを含む、結合ビデオ・ストリームを生成することであって、前記結合ビデオ・ストリームが前記第１の再生速度で再生される場合、前記第２のビデオ・ストリームは、そのために生成された前記第２の再生速度よりも遅い速度で出現するようにレンダリングされ、前記結合ビデオ・ストリームが前記第２の再生速度で再生される場合、前記第１のビデオ・ストリームは、そのために生成された前記第１の再生速度よりも速い速度で出現するようにレンダリングされる、生成すること、
を含む、システム。
【請求項１４】
前記第１および第２のビデオ・ストリームが第１および第２のフレーム・レートをそれぞれ有し、前記第１のフレーム・レートが前記第２のフレーム・レートよりも大きい、請求項１３に記載のシステム。
【請求項１５】
前記結合ビデオ・ストリームを生成することが、
前記結合ビデオ・ストリーム内のフレームに対する前記第１のビデオ・ストリーム内のフレームの第１の割合で、前記結合ビデオ・ストリーム内の前記第１のパネルの少なくとも１つのフレーム内へと、前記第１のビデオ・ストリームの各フレームを生成すること、および
前記結合ビデオ・ストリーム内のフレームに対する前記第２のビデオ・ストリーム内のフレームの第２の割合で、前記結合ビデオ・ストリーム内の前記第２のパネルの少なくとも１つのフレーム内へと、前記第２のビデオ・ストリームの各フレームを生成することを含み、前記第２の割合は前記第１の割合よりも大きいため、結果として、前記第１のビデオ・ストリーム内のフレームが、前記結合ビデオ・ストリーム内の前記第１のパネルの前記フレーム内へと生成されるよりも、前記第２のビデオ・ストリーム内のフレームは、前記結合ビデオ・ストリーム内の前記第２のパネル内のより多くのフレーム内へと生成されることになる、
請求項１４に記載のシステム。
【請求項１６】
前記第１および第２のビデオ・ストリームは同じフレーム・レートで別々にフィルム記録され、前記第２のビデオ・ストリームは前記第１のビデオ・ストリームに含まれるイベントを含み、前記第２のビデオ・ストリーム内の前記同じイベントは、前記第１のビデオ・ストリーム内の前記同じイベントよりも多くのフレーム上で出現する、請求項１５に記載のシステム。
【請求項１７】
前記動作が、
フィルム記録フレーム・レートでフィルム記録された製品コマーシャル・コンテンツを含む入力ビデオ・ストリームを受信すること、
前記第１の再生速度で再生されるように生成された前記入力ビデオ・ストリームを含む前記第１のビデオ・ストリームを生成するように前記入力ビデオ・ストリームを処理することであって、前記第１の製品コマーシャルは、前記第１の再生速度での前記製品コマーシャル・コンテンツを備える、処理すること、および
前記第２の再生速度で再生されるように生成された前記第２のビデオ・ストリームを生成するように前記入力ビデオ・ストリームを処理することであって、前記第２の製品コマーシャルは、前記第２の再生速度での前記製品コマーシャル・コンテンツを備える、処理すること、
をさらに含む、請求項１５に記載のシステム。
【請求項１８】
コンピュータ上で実行された場合、請求項１から１２に記載の本発明を実施するために実行するためのソフトウェア・コード部分を備える、デジタル・コンピュータの内部メモリにロード可能なコンピュータ・プログラム。
【発明の詳細な説明】
【技術分野】
【０００１】
本発明は、複数の入力ビデオ・ストリームから結合ビデオ・ストリーム（combined video stream）を生成するための、方法およびシステムに関する。
【背景技術】
【０００２】
ユーザは、デジタル・ビデオ・レコーダ（ＤＶＲ）などのビデオ再生デバイスを使用して、コマーシャルを有する可能性のある放送プログラムを記録することができる。その後、ユーザはＤＶＲを使用して、記録されたプログラムを再生し、コマーシャルを前送りする（forward through）ことができる。早送り（fast forward）モードでは、コマーシャルはユーザに理解されない可能性がある。製品の広告主は、スキップされ、高速では見られないコマーシャルに対して、より安価な広告料を支払う可能性がある。ユーザが自身のＤＶＲ上に記録されたコンテンツのコマーシャルを早送りまたはスキップすることによって、コンテンツ・プロバイダおよびケーブル会社は多額の収益を損失しているものと考えられる。一部の業界メンバは、ＤＶＲから早送りオプションを除去するように求めている。
【発明の概要】
【発明が解決しようとする課題】
【０００３】
当分野では、ユーザがコマーシャルを早送りするための機能をしばしば有する環境において、有意なコマーシャル・コンテンツを提供するための改良された技法が求められている。
【課題を解決するための手段】
【０００４】
複数の入力ビデオ・ストリームから結合ビデオ・ストリームを生成するための、方法およびシステムが提供される。第１の再生速度で再生されるように生成された第１の製品コマーシャルを含む第１のビデオ・ストリームと、第２の再生速度で再生されるように生成された第２の製品コマーシャルを含む第２のビデオ・ストリームとが、処理される。第２の再生速度は、第１の再生速度よりも速い。第１のビデオ・ストリームを表示するための各フレーム内の第１のパネルと、第２のビデオ・ストリームを表示するための各フレーム内の第２のパネルとを含む、結合ビデオ・ストリームが生成される。結合ビデオ・ストリームが第１の再生速度で再生される場合、第２のビデオ・ストリームは、そのために生成された第２の再生速度よりも遅い速度で出現するようにレンダリングされる。結合ビデオ・ストリームが第２の再生速度で再生される場合、第１のビデオ・ストリームは、そのために生成された第１の再生速度よりも速い速度で出現するようにレンダリングされる。
【０００５】
他の実施形態では、第１および第２のビデオ・ストリームが第１および第２のフレーム・レートをそれぞれ有し、第１のフレーム・レートは第２のフレーム・レートよりも大きい。
【０００６】
他の実施形態では、結合ビデオ・ストリームを生成することは、結合ビデオ・ストリーム内のフレームに対する第１のビデオ・ストリーム内のフレームの第１の割合で、結合ビデオ・ストリーム内の第１のパネルの少なくとも１つのフレーム内へと、第１のビデオ・ストリームの各フレームを生成すること、および、結合ビデオ・ストリーム内のフレームに対する第２のビデオ・ストリーム内のフレームの第２の割合で、結合ビデオ・ストリーム内の第２のパネルの少なくとも１つのフレーム内へと、第２のビデオ・ストリームの各フレームを生成することを含み、第２の割合は第１の割合よりも大きいため、結果として、第１のビデオ・ストリーム内のフレームが、結合ビデオ・ストリーム内の第１のパネルのフレーム内へと生成されるよりも、第２のビデオ・ストリーム内のフレームは、結合ビデオ・ストリーム内の第２のパネル内のより多くのフレーム内へと生成されることになる。
【０００７】
他の実施形態では、第１および第２のビデオ・ストリームは、それぞれ第１および第２のフレーム・レートで別々にフィルム記録（film）される。
【０００８】
他の実施形態では、第１および第２のビデオ・ストリームは同じフレーム・レートで別々にフィルム記録され、第２のビデオ・ストリームは第１のビデオ・ストリームに含まれるイベントを含む。第２のビデオ・ストリーム内の同じイベントは、第１のビデオ・ストリーム内の同じイベントよりも多くのフレーム上で出現する。
【０００９】
他の実施形態では、フィルム記録フレーム・レートでフィルム記録された製品コマーシャル・コンテンツを含む入力ビデオ・ストリームが受信される。入力ビデオ・ストリームは、第１の再生速度で再生されるように生成された入力ビデオ・ストリームを含む第１のビデオ・ストリームを生成するように処理され、第１の製品コマーシャルは、第１の再生速度での製品コマーシャル・コンテンツを備える。入力ビデオ・ストリームは、第２の再生速度で再生されるように生成された第２のビデオ・ストリームを生成するように処理され、第２の製品コマーシャルは、第２の再生速度での製品コマーシャル・コンテンツを備える。
【００１０】
他の実施形態では、第１の再生速度はフィルム記録フレーム・レートであり、第２の再生速度はフィルム記録フレーム・レートよりも小さいフレーム・レートである。
【００１１】
他の実施形態では、第１の再生速度は通常速度であり、第２の再生速度はビデオ再生デバイスにとっての早送り速度である。
【００１２】
他の実施形態では、処理および生成動作は、結合ビデオ・ストリームの第１および第２のパネルにおいて製品コマーシャルを生成するためのポスト・プロダクション・ソフトウェア（post production software）によって実行される。
【００１３】
他の実施形態では、結合ビデオ・ストリームの各フレームにおける第１および第２のパネルのサイズを示すユーザ入力が受信され、第１および第２のパネルは、それらの示されたサイズに対応する結合ビデオ・ストリーム内のサイズを有する。
【００１４】
他の実施形態では、第１および第２のパネルの示されたサイズは、第１および第２のパネルを見るものと推定された視聴者の割合に基づく。より多い推定視聴者を有する第１または第２のパネルは、より少ない推定視聴者を有する第１または第２のパネルよりもフレーム内で大きなサイズに設定される。
【００１５】
他の実施形態では、結合ビデオ・ストリームがコマーシャル・セグメントとして放送に挿入される。
【００１６】
他の実施形態では、第１および第２の製品コマーシャルは、異なる製品に関するコマーシャルを備える。
【００１７】
他の実施形態では、第１および第２の製品コマーシャルは、同じ製品に関するコマーシャルを備える。
【００１８】
他の実施形態では、第１および第２のビデオ・ストリームは、複数の製品に関するコマーシャルを含む。
【００１９】
他の実施形態では、本発明は、動作を実施するために実行されるプログラムを実装する製品（article of manufacture）を提供し、動作は、第１の再生速度で再生されるように生成された第１の製品コマーシャルを含む第１のビデオ・ストリームを処理することと、第２の再生速度で再生されるように生成された第２の製品コマーシャルを含む第２のビデオ・ストリームを処理することと、ここで第２の再生速度は第１の再生速度よりも速く、第１のビデオ・ストリームを表示するための各フレーム内の第１のパネル、および第２のビデオ・ストリームを表示するための各フレーム内の第２のパネルを含む、結合ビデオ・ストリームを生成することとを含み、ここで、結合ビデオ・ストリームが第１の再生速度で再生される場合、第２のビデオ・ストリームは、そのために生成された第２の再生速度よりも遅い速度で出現するようにレンダリングされ、結合ビデオ・ストリームが第２の再生速度で再生される場合、第１のビデオ・ストリームは、そのために生成された第１の再生速度よりも速い速度で出現するようにレンダリングされる。
【００２０】
好ましくは、本発明は、第１および第２のビデオ・ストリームが第１および第２のフレーム・レートをそれぞれ有し、第１のフレーム・レートが第２のフレーム・レートよりも大きい、製品を提供する。
【００２１】
好ましくは、本発明は、結合ビデオ・ストリームを生成することが、結合ビデオ・ストリーム内のフレームに対する第１のビデオ・ストリーム内のフレームの第１の割合で、結合ビデオ・ストリーム内の第１のパネルの少なくとも１つのフレーム内へと、第１のビデオ・ストリームの各フレームを生成すること、および、結合ビデオ・ストリーム内のフレームに対する第２のビデオ・ストリーム内のフレームの第２の割合で、結合ビデオ・ストリーム内の第２のパネルの少なくとも１つのフレーム内へと、第２のビデオ・ストリームの各フレームを生成することを含み、第２の割合は第１の割合よりも大きいため、結果として、第１のビデオ・ストリーム内のフレームが、結合ビデオ・ストリーム内の第１のパネルのフレーム内へと生成されるよりも、第２のビデオ・ストリーム内のフレームは、結合ビデオ・ストリーム内の第２のパネル内のより多くのフレーム内へと生成されることになる、製品を提供する。
【００２２】
好ましくは、本発明は、第１および第２のビデオ・ストリームは同じフレーム・レートで別々にフィルム記録され、第２のビデオ・ストリームは第１のビデオ・ストリームに含まれるイベントを含み、第２のビデオ・ストリーム内の同じイベントは、第１のビデオ・ストリーム内の同じイベントよりも多くのフレーム上で出現する、製品を提供する。
【００２３】
好ましくは、本発明は、動作がさらに、フィルム記録フレーム・レートでフィルム記録された製品コマーシャル・コンテンツを含む入力ビデオ・ストリームを受信することと、第１の再生速度で再生されるように生成された入力ビデオ・ストリームを含む第１のビデオ・ストリームを生成するように入力ビデオ・ストリームを処理することと、ここで第１の製品コマーシャルは、第１の再生速度での製品コマーシャル・コンテンツを備え、第２の再生速度で再生されるように生成された第２のビデオ・ストリームを生成するように入力ビデオ・ストリームを処理することとを備え、第２の製品コマーシャルは、第２の再生速度での製品コマーシャル・コンテンツを備える、製品を提供する。
【図面の簡単な説明】
【００２４】
【図１】コンピューティング環境の実施形態を示す図である。
【図２】フレームの実施形態を示す図である。
【図３】結合ビデオ・ストリームを生成するための動作の実施形態を示す図である。
【図４】結合ビデオ・ストリームを生成するための動作の実施形態を示す図である。
【図５】結合ビデオ・ストリームを生成するための動作の実施形態を示す図である。
【発明を実施するための形態】
【００２５】
図１は、コンピューティング環境の実施形態を示す。コンピュータ２は、１つまたは複数のプロセッサ４と、プロセッサによって実行されるためのプログラムがロードされるメモリ６とを含む。プロセッサ４は、ビデオ・ストリーム１０、１２が結合された結合ビデオ・ストリーム１４を生成するために、第１のビデオ・ストリーム１０および第２のビデオ・ストリーム１２を処理するように、ビデオ・エディタ８プログラムを実行する。コンピュータ２は、ストレージまたはフィルム・カメラ・デバイスからビデオ・ストリームを受信するために外部デバイスとインターフェース可能な、１つまたは複数のインターフェース・ポート１６を含む。
【００２６】
コンピュータ２のユーザは、入力デバイス１８を使用して、ビデオ・エディタ８の動作を制御するため、ならびに、ビデオ１０、１２、および１４のイメージの非線形編集を実行するために、ビデオ・エディタ８と対話することができる。入力デバイス１８は、ユーザ入力をコンピュータ・プログラムに提供するためにユーザによって制御される、マウス、キーボード、ペン・スタイラス、マイクロフォン、タッチ・スクリーンなどを備えることができる。ディスプレイ・モニタ２０は、第１のビデオ・ストリーム１０および第２のビデオ・ストリーム１２ならびに結合ビデオ・ストリーム１４の編集を可能にするために、ビデオ・エディタ８に対するユーザ・インターフェースを表示することができる。プロセッサ４は１つまたは複数の中央処理ユニット（ＣＰＵ）を備えることが可能であり、メモリ６は１つまたは複数の不揮発性または揮発性のメモリ・デバイスを備えることが可能である。
【００２７】
ビデオ・ストリーム１０、１２、１４は、Ｍｏｖｉｎｇ  Ｐｉｃｔｕｒｅｓ  Ｅｘｐｅｒｔｓ  Ｇｒｏｕｐ（ＭＰＥＧ）、Ａｕｄｉｏ  Ｖｉｄｅｏ  Ｉｎｔｅｒｌｅａｖｅ（ＡＶＩ）などの、デジタル・ビデオ形式のイメージのフレームを備えることができる。
【００２８】
図２は、コンテンツの第１のパネル５２および第２のパネル５４を含む結合ビデオ・ストリーム１４内のフレーム５０の実施形態を示し、再生される複数のフレーム５０がビデオ・イメージをレンダリングする。ビデオ・エディタ８は、第１のビデオ・ストリーム１０のコンテンツを第１のパネル５２内へと生成し、第２のビデオ・ストリーム１２のコンテンツを第２のパネル５４内へと生成する。一実施形態では、第１のビデオ・ストリーム１０は、通常の再生速度で再生されるように生成することが可能であり、第２のビデオ・ストリーム１２は、ＤＶＲなどのビデオ・デバイス・プレーヤにおける早送り速度などの、通常の速度よりも速い再生速度で再生されるように生成することが可能である。パネル５２および５４は、図に示されるように垂直方向に、あるいは別の方法として、水平方向または異なる位置および向きに、配置可能である。パネル５２および５４は同じサイズであるかまたは異なるサイズとすることができる。
【００２９】
第１のビデオ・ストリーム１０は、結合ビデオ・ストリーム１４が、たとえばデジタル・ビデオ・レコード（ＤＶＲ）、ケーブル受信器などの、ビデオ再生デバイスによって再生されることになる、第１のフレーム・レート、すなわち１秒当たりのフレーム数を有することが可能であり、第２のビデオ・ストリーム１２は、第１のレートよりも小さい第２のフレーム・レートを有することが可能である。したがって、結合ビデオ・ストリーム１４がより高速の第２の再生速度で再生される場合、第２のパネル５４内のより低速の第２のビデオ・ストリーム１２は、「通常の」理解可能な（comprehendible）速度でレンダリングされるようにユーザに対して出現することが可能であり、第１のパネル５２内のより高速の第１のビデオ・ストリーム１０は、たとえば理解不可能な早送り速度などの、通常よりも高速で再生されるように出現することが可能である。結合ビデオ・ストリーム１４が通常の第１の再生速度で再生される場合、第２のパネル５４内のより低速な第２のビデオ・ストリーム１２は、低速モーション・レートでレンダリングされるようにユーザに対して出現可能であり、第１のパネル５２内のより高速な第１のビデオ・ストリーム１０は、通常のレートで再生されるように出現可能である。
【００３０】
代替実施形態では、第１のビデオ・ストリーム１０および第２のビデオ・ストリーム１２は同じフレーム・レートでフィルム記録可能であるが、第２のビデオ・ストリーム１２内のコンテンツは、第１のビデオ・ストリーム１０内よりも長い期間、出現可能である。たとえば、第１のビデオ・ストリーム１０および第２のビデオ・ストリーム１２は、たとえば表示されるテキスト、アクション、イメージなどの、同じイベントを含むことが可能であり、第２のビデオ・ストリーム１２は、第１のビデオ・ストリーム１０よりも多くのフレームにまたがって広がる同じイベントを有し、すなわち、第１のビデオ・ストリーム１０は、第２のビデオ・ストリーム１２よりも多くの１分当たりのイベント数を有する。この実施形態では、第１の再生速度において、第１のビデオ・ストリーム１０内のイベントは通常の速度で表示されるように出現可能であり、第２のビデオ・ストリーム１２内のイベントは低速モーションとなるように出現する。第２のより高速な再生速度において、第１のビデオ・ストリーム１０内のイベントは早送り速度で表示されるように出現可能であり、第２のビデオ・ストリーム１２内のイベントは、人間ユーザに対して通常の速度となるように出現する。
【００３１】
さらに、コンピュータ２は、インターフェース・ポート１６上で入力ビデオ・ストリームを受信し、受信した入力ビデオ・ストリームから第１のビデオ・ストリーム１０および第２のビデオ・ストリーム１２を生成することができる。
【００３２】
一実施形態では、第１のビデオ・ストリーム１０および第２のビデオ・ストリーム１２は、異なるフレーム・レートでフィルム記録された同じ製品コマーシャルを備えることが可能であり、第２のビデオ・ストリーム１２はより低速なレートでフィルム記録される。第１のビデオ・ストリーム１０および第２のビデオ・ストリーム１２内の製品コマーシャルが別々にフィルム記録または編集された場合、それらは、一部またはすべての共通コンテンツを含むことができる。別の方法として、異なるコンテンツを異なる所期の再生速度でフィルム記録することができる。
【００３３】
さらに、第１のビデオ・ストリーム１０および第２のビデオ・ストリーム１２は、異なる製品コマーシャルを含むことができる。さらに、コマーシャル放送セグメントに対して生成された第１のビデオ・ストリーム１０および第２のビデオ・ストリーム１２は、同じかまたは異なる製品に関する複数の製品コマーシャルを含むことができる。ビデオ・ストリーム１０、１２は、同じ製品に関する異なるコマーシャルまたは異なる製品に関する異なるコマーシャルを含むことができる。
【００３４】
図３は、結合ビデオ・ストリーム１４を生成するためにビデオ・エディタ８によって実行される動作の実施形態を示す。製品コマーシャルに関するコンテンツを含む第１のビデオ・ストリーム１０および第２のビデオ・ストリーム１２を受信する（ブロック１００）と、ビデオ・エディタ８は、たとえばＤＶＲなどの再生デバイス上での通常の再生速度などの第１の再生速度で再生されるように生成された製品コマーシャルを含む、第１のビデオ・ストリーム１０を処理する（ブロック１０２）。ビデオ・エディタ８は、第２の再生速度で再生されるように生成された製品コマーシャルを含む第２のビデオ・ストリーム１２を処理し（ブロック１０４）、ここで、たとえばＤＶＲなどの再生デバイス上での早送り速度などの第２の再生速度は第１の再生速度よりも速い。ビデオ・エディタ８は、第１のビデオ・ストリーム１０を表示するための各フレーム５０内の第１のパネル５２と、第２のビデオ・ストリーム１２を表示するための各フレーム５０内の第２のパネル５４とを含む、結合ビデオ・ストリーム１４を生成する（ブロック１０６）。
【００３５】
図４は、結合ビデオ・ストリーム１４を生成するためにビデオ・エディタ８によって実行される動作の他の実施形態を示す。ブロック１５０および１５４での動作を、結合ビデオ・ストリーム１４を生成するためのブロック１０６での動作の一部として実行することができる。ブロック１５０で、ビデオ・エディタ８は、異なる第１および第２のフレーム・レートを有する第１のビデオ・ストリーム１０および第２のビデオ・ストリーム１２を処理し（ブロッ１５０）、第１のフレーム・レートは第２のフレーム・レートよりも大きい。ビデオ・エディタ８は、第１のビデオ・ストリーム１０の各フレームを、結合ビデオ・ストリーム１４内のフレームに対する第１のビデオ・ストリーム１０内のフレームの第１の割合で、結合ビデオ・ストリーム１４内の第１のパネル５２のうちの少なくとも１つのフレーム内へと生成する（ブロック１５２）。たとえば、第１のビデオ・ストリーム１０および結合ビデオ・ストリーム１４が、たとえば１秒当たり２４フレームなどの同じフレーム・レートの場合、第１のビデオ・ストリーム１０から結合ビデオ・ストリーム１４への１対１のフレーム・マッピングが存在するものとすることができる。第１のビデオ・ストリーム１０および結合ビデオ・ストリーム１４のフレーム・レートが異なる場合、第１のビデオ・ストリーム１０から第２へとフレームをマッピングするために、いくらかの調整を行うことができる。ビデオ・エディタ８は、第２のビデオ・ストリーム１２の各フレームを、結合ビデオ・ストリーム１４内のフレームに対する第２のビデオ・ストリーム１２内のフレームの第２の割合で、結合ビデオ・ストリーム内の第２のパネル５４のうちの少なくとも１つのフレームへと、さらに生成する（ブロック１５４）。ビデオ・ストリーム１０、１２からパネル５２、５４へとフレームを生成するために、ビデオ・エディタ８は、フレームをタイル張り（tile）、挿入、スーパーインポーズ（superimpose）、あるいは、さらにフェードするか、またはそれらすべてを実行する、さもなければ、パネル５２、５４内へと生成されているビデオ・ストリーム１２、１４からのフレームを編集または修正することができる。
【００３６】
ある諸実施形態では、第２の割合は第１の割合よりも大きい。これは、第２のビデオ・ストリーム１２内のフレームが、第１のビデオ・ストリーム１０内よりも多くの結合ビデオ・ストリーム１４内のフレームへと生成されることを意味する。たとえば、第２のビデオ・ストリーム１２が１秒当たり１２フレームのフレーム・レートを有し、結合ビデオ・ストリーム１４が１秒あたり２４フレームのフレーム・レートを有する場合、第２のビデオ・ストリーム１２の各フレームは、結合ビデオ・ストリーム１４の複数のフレームにマッピングすることができる。このようにして、第２のビデオ・ストリーム１２は、結合ビデオ・ストリーム１４向けに意図された再生速度で再生した場合、低速モーションとなるように出現可能であるが、結合ビデオ・ストリーム１４が早送り速度で再生された場合、通常の再生速度となるように出現する。
【００３７】
図５は、共通入力ビデオ・ストリームから第１のビデオ・ストリーム１０および第２のビデオ・ストリーム１２を作成するために、ビデオ・エディタ８によって実行される動作の代替実施形態を示す。フィルム記録フレーム・レートでフィルム記録された製品コマーシャルを含む単一の入力ビデオ・ストリームを受信すると（ブロック１７０）、ビデオ・エディタ８は、第１の再生速度で再生されるように生成された入力ビデオ・ストリームを含む第１のビデオ・ストリーム１０を生成するために入力ビデオ・ストリームを処理し（ブロック１７２）、第２の再生速度で再生されるように生成された第２のビデオ・ストリーム１２を生成するために入力ビデオ・ストリームを処理する（ブロック１７４）。第２の再生速度は第１の再生速度より速いものとすることができる。その後、第１のビデオ・ストリーム１０および第２のビデオ・ストリーム１２を結合ビデオ・ストリーム１４へと結合するために、制御は図３へと進むことができる（ブロック１７６）。
【００３８】
一実施形態では、ビデオ・エディタ８は、結合ビデオ・ストリーム１４の各フレーム５０における第１のパネル１０および第２のパネル１２に関する相対または絶対サイズを示すユーザ入力を受信することができる。ビデオ・エディタ８は、それらの示されたサイズに対応する結合ビデオ・ストリーム１４のフレーム５０のサイズを有するように、第１のパネル１０および第２のパネル１２を生成することができる。一実施形態では、第１および第２のパネルのサイズは、第１のパネル１０および第２のパネル１２を見るものと推定された視聴者の割合に基づくものとすることができる。より高い視聴者の割合が推定される第１のパネル１０または第２のパネル１２は、より低い視聴者の割合が推定される第１または第２のパネルよりも、フレーム５０内でより大きなサイズを利用するように構成することができる。
【００３９】
一実施形態では、ビデオ・エディタ８は、ケーブル・テレビジョンまたは放送テレビジョンなどの放送プログラムにコマーシャル・セグメントとして挿入される結合ビデオ・ストリーム１４を生成するように、ビデオ・ストリーム１０および２０を処理するためのポスト・プロダクション・ソフトウェアを備えることができる。ユーザがデジタル・ビデオ・レコ−ド（ＤＶＲ）デバイスを使用して放送プログラムを視聴しており、コマーシャルの早送りを選択した場合、早送りモードで、結合ビデオ・ストリーム１４の第２のパネル５４内にレンダリングされたコマーシャル・コンテンツは、より低速または通常の速度で出現することになり、第１のパネル５２内のコマーシャルは早送りで出現することになる。
【００４０】
説明された諸実施形態は、結合ビデオ・ストリーム１４のフレーム５０の別々のパネル５２、５４におけるコマーシャル・ビデオ作成の２つのビデオ・ストリームを生成するための技法を提供し、パネル５２、５４内のビデオは、ユーザがビデオ再生デバイス内で結合ビデオ・ストリームを実行する速度に対処するように、異なる速度で出現可能である。
【００４１】
追加の実施形態の詳細
説明した動作は、ソフトウェア、ファームウェア、ハードウェア、またはそれらの任意の組み合わせを作成するための標準プログラミングあるいはエンジニアリングまたはその両方の技法を使用する、方法、装置、または製品として実装可能である。説明した動作は、「コンピュータ読取可能ストレージ・メディア」内に維持されるコードとして実装可能であり、プロセッサはコンピュータ・ストレージ読み取り可能メディアからのコードを読み取りおよび実行することができる。コンピュータ読取可能ストレージ・メディアは、磁気ストレージ・メディア（たとえばハード・ディスク・ドライブ、フレキシブル・ディスク、テープなど）、光ストレージ（ＣＤ−ＲＯＭ、ＤＶＤ、光ディスクなど）、揮発性および不揮発性のメモリ・デバイス（たとえばＥＥＰＲＯＭ、ＲＯＭ、ＰＲＯＭ、ＲＡＭ、ＤＲＡＭ、ＳＲＡＭ、フラッシュ・メモリ、ファームウェア、プログラマブル論理など）などの、ストレージ・メディアを備えることができる。説明した動作を実装するコードは、ハードウェア・デバイス（たとえば、集積回路チップ、プログラマブル・ゲート・アレイ（ＰＧＡ）、特定用途向け集積回路（ＡＳＩＣ）など）内に実装されたハードウェア論理内にさらに実装可能である。さらに、説明した動作を実装するコードは、「伝送信号」内で実装可能であり、伝送信号は、空中を介して、または光ファイバ、銅線などの伝送メディアを介して、伝搬可能である。コードまたは論理が内部にコード化されている伝送信号は、無線信号、衛星伝送、電波、赤外線信号、Ｂｌｕｅｔｏｏｔｈなどを、さらに備えることができる。「製品」は、コードまたは論理が内部にコード化されている伝送信号を送信および受信するための、送信局あるいは受信局またはその両方を備えることが可能であり、伝送信号内にコード化されているコードまたは論理は、受信側および送信側の局またはデバイスの、ハードウェアまたはコンピュータ読み取り可能ストレージ・メディア内に復号および格納することができる。「製品」は、コードまたは論理が内部に実装可能な、コンピュータ読み取り可能ストレージ・メディア、ハードウェア・デバイス、あるいは伝送用送信器または受信器、またはそれらすべてを備える。当業者であれば、本発明の範囲を逸脱することなく、この構成に対して多くの修正が実行可能であること、および、製品が当分野で知られた好適な情報担持メディアを備えることが可能であることを理解されよう。
【００４２】
図２は、第１のビデオ・ストリーム１０および第２のビデオ・ストリーム１２からコンテンツをレンダリングするために生成された２つのパネルを示す。他の諸実施形態では、フレーム５０に含まれる２つより多くの対応するビデオ・ストリームに対して、２つより多くのパネルが存在可能である。複数の少なくとも２つのパネルが、再生デバイスのユーザがコマーシャルを見るかまたは早送りすることが可能な２つより多くの異なる再生速度について、製品コマーシャルを表示することができる。
【００４３】
「実施形態」、「諸実施形態」、「１つまたは複数の実施形態」、「いくつかの実施形態」、および「一実施形態」という用語は、特に明示的に指定されていない限り、「本発明の１つまたは複数の（ただしすべてではない）実施形態」を意味する。
【００４４】
「含む」、「備える」、「有する」、およびそれらの変形は、特に明示的に指定されていない限り、「含むが限定されない」ことを意味する。
【００４５】
列挙されたアイテムのリストは、特に明示的に指定されていない限り、アイテムのいずれかまたはすべてが相互に排他的であることを示唆していない。
【００４６】
「ａ」、「ａｎ」、および「ｔｈｅ」という用語は、特に明示的に指定されていない限り、「１つまたは複数」を意味する。
【００４７】
互いに通信し合っているデバイスは、特に明示的に指定されていない限り、必ずしも互いに連続して通信しているものではない。加えて、互いに通信し合っているデバイスは、１つまたは複数の媒介を通じて直接または間接的に通信することができる。
【００４８】
互いに通信し合っているいくつかのコンポーネントを備えた実施形態の説明は、こうしたコンポーネントのすべてが必要であることを示唆するものではない。これに反して、本発明の多種多彩な可能な諸実施形態を示すために、様々なオプションのコンポーネントについて説明される。
【００４９】
さらに、プロセス・ステップ、方法ステップ、アルゴリズムなどは、ある順番で説明される可能性があるが、こうしたプロセス、方法、およびアルゴリズムは、代替の順序で働くように構成することができる。言い換えれば、説明可能なステップの任意の順序または順番は、ステップがその順番で実行される要件を必ずしも示すものではない。本明細書で説明されたプロセスの諸ステップは、実際には任意の順番で実行可能である。さらにいくつかのステップは同時に実行可能である。
【００５０】
本明細書で単一のデバイスまたは物品について説明される場合、単一のデバイス／物品の代わりに複数のデバイス／物品（それらが協働するか否かに関わらず）が使用可能であることが容易に明らかとなろう。同様に、本明細書で複数のデバイスまたは物品（それらが協働するか否かに関わらず）について説明される場合、複数のデバイスまたは物品の代わりに単一のデバイス／物品が使用可能であること、あるいは、示された数のデバイスまたはプログラムの代わりに異なる数のデバイス／物品が使用可能であることが、容易に明らかとなろう。別の方法として、デバイスの機能あるいは特徴またはその両方は、そうした機能／特徴を有するものとして明示的に説明されていない１つまたは複数の他のデバイスによって具体化可能である。したがって本発明の他の諸実施形態が、デバイス自体を含む必要はない。
【００５１】
図３、図４、および図５に示された動作は、ある一定の順番に発生するある一定のイベントを示す。代替の実施形態では、ある一定の動作を異なる順番で実行するか、修正または除去することが可能である。さらに、諸ステップを前述の論理に追加すること、および依然として説明された諸実施形態に準拠することが可能である。さらに、本明細書で説明された動作は順次実行可能であるか、またはある一定の動作を並行して処理することが可能である。さらに動作は、単一処理ユニットによって、または分散処理ユニットによって、実行可能である。
【００５２】
本発明の様々な実施形態の前述の説明は、例示および説明の目的で提示されたものである。本発明を網羅すること、または開示された精密な形に限定することは意図されていない。前述の教示に照らして、多くの修正および変形が可能である。本発明の範囲は、この詳細な説明によって限定されるものでなく、むしろ、添付の特許請求の範囲によって限定されるものであることが意図される。前述の仕様、例示、およびデータは、本発明の構成の製造および使用についての完全な説明を提供する。
【図１】
2011524667.tif 000003
【図２】
2011524667.tif 000004
【図３】
2011524667.tif 000005
【図４】
2011524667.tif 000006
【図５】
2011524667.tif 000007
【手続補正書】
【提出日】平成22年12月20日(2010.12.20)
【手続補正１】
【補正対象書類名】特許請求の範囲
【補正対象項目名】全文
【補正方法】変更
【補正の内容】
【特許請求の範囲】
【請求項１】
第１の再生速度で再生されるように生成された第１の製品コマーシャルを含む第１のビデオ・ストリームを処理するステップと、
第２の再生速度で再生されるように生成された第２の製品コマーシャルを含む第２のビデオ・ストリームを処理するステップであって、前記第２の再生速度は前記第１の再生速度よりも速い、処理するステップと、
前記第１のビデオ・ストリームを表示するための各フレーム内の第１のパネルと、前記第２のビデオ・ストリームを表示するための各フレーム内の第２のパネルとを含む、結合ビデオ・ストリームを生成するステップであって、前記結合ビデオ・ストリームが前記第１の再生速度で再生される場合、前記第２のビデオ・ストリームは、そのために生成された前記第２の再生速度よりも遅い速度で出現するようにレンダリングされ、前記結合ビデオ・ストリームが前記第２の再生速度で再生される場合、前記第１のビデオ・ストリームは、そのために生成された前記第１の再生速度よりも速い速度で出現するようにレンダリングされる、生成するステップと、
を含む、方法。
【請求項２】
前記第１および第２のビデオ・ストリームが第１および第２のフレーム・レートをそれぞれ有し、前記第１のフレーム・レートが前記第２のフレーム・レートよりも大きい、請求項１に記載の方法。
【請求項３】
前記結合ビデオ・ストリームを生成するステップが、
前記結合ビデオ・ストリーム内のフレームに対する前記第１のビデオ・ストリーム内のフレームの第１の割合で、前記結合ビデオ・ストリーム内の前記第１のパネルの少なくとも１つのフレーム内へと、前記第１のビデオ・ストリームの各フレームを生成するステップと、
前記結合ビデオ・ストリーム内のフレームに対する前記第２のビデオ・ストリーム内のフレームの第２の割合で、前記結合ビデオ・ストリーム内の前記第２のパネルの少なくとも１つのフレーム内へと、前記第２のビデオ・ストリームの各フレームを生成するステップとを含み、前記第２の割合は前記第１の割合よりも大きいため、結果として、前記第１のビデオ・ストリーム内のフレームが、前記結合ビデオ・ストリーム内の前記第１のパネルの前記フレーム内へと生成されるよりも、前記第２のビデオ・ストリーム内のフレームは、前記結合ビデオ・ストリーム内の前記第２のパネル内のより多くのフレーム内へと生成されることになる、
請求項２に記載の方法。
【請求項４】
前記第１および第２のビデオ・ストリームは、それぞれ前記第１および前記第２のフレーム・レートで別々にフィルム記録される、請求項２に記載の方法。
【請求項５】
前記第１および第２のビデオ・ストリームは同じフレーム・レートで別々にフィルム記録され、前記第２のビデオ・ストリームは前記第１のビデオ・ストリームに含まれるイベントを含み、前記第２のビデオ・ストリーム内の前記同じイベントは、前記第１のビデオ・ストリーム内の前記同じイベントよりも多くのフレーム上で出現する、請求項１に記載の方法。
【請求項６】
フィルム記録フレーム・レートでフィルム記録された製品コマーシャル・コンテンツを含む入力ビデオ・ストリームを受信するステップと、
前記第１の再生速度で再生されるように生成された前記入力ビデオ・ストリームを含む前記第１のビデオ・ストリームを生成するように前記入力ビデオ・ストリームを処理するステップであって、前記第１の製品コマーシャルは、前記第１の再生速度での前記製品コマーシャル・コンテンツを備える、処理するステップと、
前記第２の再生速度で再生されるように生成された前記第２のビデオ・ストリームを生成するように前記入力ビデオ・ストリームを処理するステップであって、前記第２の製品コマーシャルは、前記第２の再生速度での前記製品コマーシャル・コンテンツを備える、処理するステップと、
をさらに含む、請求項１に記載の方法。
【請求項７】
前記第１の再生速度は前記フィルム記録フレーム・レートであり、前記第２の再生速度は前記フィルム記録フレーム・レートよりも小さいフレーム・レートである、請求項６に記載の方法。
【請求項８】
前記第１の再生速度は通常速度であり、前記第２の再生速度はビデオ再生デバイスにとっての早送り速度である、請求項１に記載の方法。
【請求項９】
前記処理および生成動作は、前記結合ビデオ・ストリームの前記第１および第２のパネルにおいて前記製品コマーシャルを生成するためのポスト・プロダクション・ソフトウェアによって実行される、請求項１に記載の方法。
【請求項１０】
前記結合ビデオ・ストリームの各フレームにおける前記第１および第２のパネルのサイズを示すユーザ入力を受信するステップであって、前記第１および第２のパネルは、それらの示されたサイズに対応する前記結合ビデオ・ストリーム内のサイズを有する、受信するステップをさらに含む、請求項１に記載の方法。
【請求項１１】
前記第１および第２のパネルの前記示されたサイズは、前記第１および第２のパネルを見るものと推定された視聴者の割合に基づき、より多い推定視聴者を有する前記第１または第２のパネルは、より少ない推定視聴者を有する前記第１または第２のパネルよりも前記フレーム内で大きなサイズに設定される、請求項１０に記載の方法。
【請求項１２】
前記結合ビデオ・ストリームがコマーシャル・セグメントとして放送に挿入される、請求項１に記載の方法。
【請求項１３】
プロセッサと、
動作を実行するために前記プロセッサによって実行されるビデオ・エディタを含む、コンピュータ読み取り可能メディアと、を備えるシステムであって、前記動作が、
第１の再生速度で再生されるように生成された第１の製品コマーシャルを含む第１のビデオ・ストリームを処理すること、
第２の再生速度で再生されるように生成された第２の製品コマーシャルを含む第２のビデオ・ストリームを処理することであって、前記第２の再生速度は前記第１の再生速度よりも速い、処理すること、および
前記第１のビデオ・ストリームを表示するための各フレーム内の第１のパネルと、前記第２のビデオ・ストリームを表示するための各フレーム内の第２のパネルとを含む、結合ビデオ・ストリームを生成することであって、前記結合ビデオ・ストリームが前記第１の再生速度で再生される場合、前記第２のビデオ・ストリームは、そのために生成された前記第２の再生速度よりも遅い速度で出現するようにレンダリングされ、前記結合ビデオ・ストリームが前記第２の再生速度で再生される場合、前記第１のビデオ・ストリームは、そのために生成された前記第１の再生速度よりも速い速度で出現するようにレンダリングされる、生成すること、
を含む、システム。
【請求項１４】
前記第１および第２のビデオ・ストリームが第１および第２のフレーム・レートをそれぞれ有し、前記第１のフレーム・レートが前記第２のフレーム・レートよりも大きい、請求項１３に記載のシステム。
【請求項１５】
前記結合ビデオ・ストリームを生成することが、
前記結合ビデオ・ストリーム内のフレームに対する前記第１のビデオ・ストリーム内のフレームの第１の割合で、前記結合ビデオ・ストリーム内の前記第１のパネルの少なくとも１つのフレーム内へと、前記第１のビデオ・ストリームの各フレームを生成すること、および
前記結合ビデオ・ストリーム内のフレームに対する前記第２のビデオ・ストリーム内のフレームの第２の割合で、前記結合ビデオ・ストリーム内の前記第２のパネルの少なくとも１つのフレーム内へと、前記第２のビデオ・ストリームの各フレームを生成することを含み、前記第２の割合は前記第１の割合よりも大きいため、結果として、前記第１のビデオ・ストリーム内のフレームが、前記結合ビデオ・ストリーム内の前記第１のパネルの前記フレーム内へと生成されるよりも、前記第２のビデオ・ストリーム内のフレームは、前記結合ビデオ・ストリーム内の前記第２のパネル内のより多くのフレーム内へと生成されることになる、
請求項１４に記載のシステム。
【請求項１６】
前記第１および第２のビデオ・ストリームは同じフレーム・レートで別々にフィルム記録され、前記第２のビデオ・ストリームは前記第１のビデオ・ストリームに含まれるイベントを含み、前記第２のビデオ・ストリーム内の前記同じイベントは、前記第１のビデオ・ストリーム内の前記同じイベントよりも多くのフレーム上で出現する、請求項１５に記載のシステム。
【請求項１７】
前記動作が、
フィルム記録フレーム・レートでフィルム記録された製品コマーシャル・コンテンツを含む入力ビデオ・ストリームを受信すること、
前記第１の再生速度で再生されるように生成された前記入力ビデオ・ストリームを含む前記第１のビデオ・ストリームを生成するように前記入力ビデオ・ストリームを処理することであって、前記第１の製品コマーシャルは、前記第１の再生速度での前記製品コマーシャル・コンテンツを備える、処理すること、および
前記第２の再生速度で再生されるように生成された前記第２のビデオ・ストリームを生成するように前記入力ビデオ・ストリームを処理することであって、前記第２の製品コマーシャルは、前記第２の再生速度での前記製品コマーシャル・コンテンツを備える、処理すること、
をさらに含む、請求項１５に記載のシステム。
【請求項１８】
コンピュータ上で実行された場合、請求項１から１２に記載の方法の各ステップを実行するためのソフトウェア・コード部分を備える、デジタル・コンピュータの内部メモリにロード可能なコンピュータ・プログラム。
【国際調査報告】
2011524667.tif 000008
2011524667.tif 000009